(57)【要約】【課題】  圧電素子の収納に適した構造の台座を有するズームレンズユニットを提供する。【解決手段】  ズームレンズユニット１は、鏡筒３、第２レンズ群７、第３レンズ群９、第１ガイド軸１１、第２ガイド軸１３、台座４を有している。  台座４は、本体６１、蓋体６３、緩衝材７３ａ、７３ｂ、７５ａ、７５ｂを有している。  本体６１の表面には蓋体収納用凹部６８が設けられ、蓋体収納用凹部６８の底面には、圧電素子収納用凹部７０ａ、７０ｂが設けられている。  蓋体６３は蓋体収納用凹部６８内に設けられている。  第１ガイド軸１１、第２ガイド軸１３の圧電素子５１、５７は圧電素子収納用凹部７０ａ、７０ｂ内に設けられ、軸４９、５５は蓋体６３の貫通孔６７ａ、６７ｂに保持される。  緩衝材７３ａ、７５ａおよび緩衝材７３ｂ、７５ｂは圧電素子５１、５７を挟み込むように設けられている。【選択図】      図３
2009128584.tif 000002
【特許請求の範囲】
【請求項１】
少なくとも一つのレンズと、前記レンズを保持するレンズ枠とを備え、かつ、互いに前記レンズの光軸が一致するように設けられ、前記光軸方向に移動可能な複数のレンズ群と、
複数の前記レンズ群の前記レンズ枠を貫通し、かつ前記光軸に平行に設けられ、複数の前記レンズ群の移動方向を前記光軸方向に限定する複数のガイド軸と、
前記ガイド軸を支持する台座と、
を有し、
前記ガイド軸は、
軸体と、
前記軸体の端部に設けられ、複数の前記レンズ群のうち、対応する前記レンズ群を駆動する円盤状の圧電素子を有し、
前記台座は、
本体と、
前記本体の表面に着脱可能に設けられ、前記軸体を保持する蓋体と、
前記本体の表面に設けられ、前記圧電素子の形状に対応した形状を有する圧電素子収納用凹部と、
を有し、
前記圧電素子は、前記圧電素子収納用凹部に設けられ、
前記軸体は前記蓋体を貫通して設けられていることを特徴とするズームレンズユニット。
【請求項２】
前記本体は、前記蓋体の形状に対応した形状を有する蓋体収納用凹部を有し、
前記蓋体は前記蓋体収納用凹部に設けられていることを特徴とする請求項１記載のズームレンズユニット。
【請求項３】
前記圧電素子収納用凹部は、前記蓋体収納用凹部の底面に設けられていることを特徴とする請求項２記載のズームレンズユニット。
【請求項４】
前記圧電素子と前記蓋体の間に設けられた第１の緩衝材をさらに有し、
前記第１の緩衝材は前記圧電素子収納用凹部に設けられていることを特徴とする請求項１記載のズームレンズユニット。
【請求項５】
前記第１の緩衝材はリング状の形状を有することを特徴とする請求項４記載のズームレンズユニット。
【請求項６】
前記圧電素子と前記圧電素子収納用凹部の底面の間に設けられた第２の緩衝材をさらに有し、
前記第２の緩衝材は前記圧電素子収納用凹部に設けられていることを特徴とする請求項１記載のズームレンズユニット。
【請求項７】
前記第２の緩衝材はリング状の形状を有することを特徴とする請求項６記載のズームレンズユニット。
【請求項８】
前記本体は、前記圧電素子収納用凹部の底面に設けられた逃げ用凹部をさらに有することを特徴とする請求項１記載のズームレンズユニット。
【請求項９】
少なくとも一つのレンズと、前記レンズを保持するレンズ枠とを備え、かつ、互いに前記レンズの光軸が一致するように設けられ、前記光軸方向に移動可能な複数のレンズ群と、
複数の前記レンズ群の前記レンズ枠を貫通し、かつ前記光軸に平行に設けられ、複数の前記レンズ群の移動方向を前記光軸方向に限定する複数のガイド軸と、を有し、前記ガイド軸は、軸体と、前記軸体の端部に設けられ、複数の前記レンズ群のうち、対応する前記レンズ群を駆動する円盤状の圧電素子と、を有するズームレンズユニットの前記ガイド軸を支持する台座であって、
本体と、
前記本体の表面に着脱可能に設けられ、前記軸体を保持する蓋体と、
前記本体の表面に設けられ、前記圧電素子の形状に対応した形状を有する圧電素子収納用凹部と、
を有し、
前記圧電素子は、前記圧電素子収納用凹部に設けられ、
前記軸体は前記蓋体を貫通して設けられていることを特徴とする台座。
【請求項１０】
前記本体は、前記蓋体の形状に対応した形状を有する蓋体収納用凹部を有し、
前記蓋体は前記蓋体収納用凹部に設けられていることを特徴とする請求項９記載の台座。
【請求項１１】
前記圧電素子収納用凹部は、前記蓋体収納用凹部の底面に設けられていることを特徴とする請求項１０記載の台座。
【請求項１２】
前記圧電素子と前記蓋体の間に設けられた第１の緩衝材をさらに有し、
前記第１の緩衝材は前記圧電素子収納用凹部に設けられていることを特徴とする請求項９記載の台座。
【請求項１３】
前記第１の緩衝材はリング状の形状を有することを特徴とする請求項１２記載の台座。
【請求項１４】
前記圧電素子と前記圧電素子収納用凹部の底面の間に設けられた第２の緩衝材をさらに有し、
前記第２の緩衝材は前記圧電素子収納用凹部に設けられていることを特徴とする請求項９記載の台座。
【請求項１５】
前記第２の緩衝材はリング状の形状を有することを特徴とする請求項１４記載の台座。
【請求項１６】
前記本体は、前記圧電素子収納用凹部の底面に設けられた逃げ用凹部をさらに有することを特徴とする請求項９記載の台座。
【請求項１７】
請求項１〜請求項８のいずれかに記載のズームレンズユニットを有することを特徴とする撮像装置。
【請求項１８】
請求項１〜請求項８のいずれかに記載のズームレンズユニットを有することを特徴とするカメラ。
【請求項１９】
請求項１〜請求項８のいずれかに記載のズームレンズユニットを有することを特徴とする携帯端末装置。
【請求項２０】
請求項１〜請求項８のいずれかに記載のズームレンズユニットを有することを特徴とする携帯電話。
【発明の詳細な説明】
【技術分野】
【０００１】
本発明は、ズームレンズユニットおよびズームレンズユニットに用いられる台座、ズームレンズユニットを有する撮像装置、カメラ、携帯端末装置、携帯電話に関する。
【背景技術】
【０００２】
ズームレンズユニットは一定の範囲内でピント位置を変えずに焦点距離を連続的に変えられるレンズユニットであり、カメラ等の撮像装置に広く用いられている。
【０００３】
ズームレンズユニットは通常、複数のレンズと駆動機構を組み合わせた構造を有している。
【０００４】
そして、駆動機構によりレンズを移動させ、レンズ間の距離を変更することにより、焦点距離を変化させ、変倍やフォーカス補正を行っている。
【０００５】
ズームレンズユニットの駆動機構には従来、ステッピングモータ等の電磁式の回転型アクチュエータを用いたものが多かった。
【０００６】
一方、このような構造では、モータやギヤボックスの構造が複雑であり、トルクを低下させずに小型化するのが困難である。
【０００７】
また、電磁式のモータは回転の際に電磁ノイズを発生させるため、発生した電磁ノイズが周囲の電子機器に悪影響を与えるという欠点もある。
【０００８】
そこで近年では、駆動装置として超音波アクチュエータを用いた構造が開発されている。
【０００９】
超音波アクチュエータとは、圧電素子を一定周期で振動させることにより対象物を駆動するアクチュエータであり、ギヤボックスが不要であり、電磁ノイズも発生させないため、注目されている。
【００１０】
例えば非特許文献１のＦｉｇ．８には、超音波アクチュエータ（超小型圧電アクチュエータ）を２群レンズの駆動手段として用い、２群レンズと３群レンズをカムで連結したズームレンズユニットが記載されている。
【００１１】
この場合、２群レンズは超音波アクチュエータにより駆動され、３群レンズはカムによって２群レンズの駆動に連動して駆動される。
【００１２】
一方、非特許文献１のような構造では、カムを用いているため、レンズ群同士の光軸を正確に一致させるのが困難であること、構造が複雑になること、各レンズ群を独自に駆動できないこと等の問題があった。
【００１３】
そこで、本出願人は先に２つのガイド兼用の超音波アクチュエータを用い、各レンズ群を独立駆動する構造を提案した（特許文献１）。
【００１４】
【非特許文献１】岡本、吉田、末吉「超小型圧電アクチュエータの開発」、コニカミノルタテクノロジーレポート、コニカミノルタ、２００４年、Ｖｏｌ．１、ｐ．２３−２６
【特許文献１】特願２００７−１５１１９１
【発明の開示】
【発明が解決しようとする課題】
【００１５】
特許文献１のような構造は、レンズ群同士の光軸を正確に一致させることができ、構造が簡素であり、かつ各レンズ群を独自に駆動可能であるという点では有用な構造である。
【００１６】
しかしながら、特許文献１のような構造では、超音波アクチュエータの駆動に用いられる円盤状の圧電素子を台座の内部に収納する必要がある。
【００１７】
そのため、台座には、圧電素子を容易に収納できる構造が求められる。
【００１８】
本発明は、このような問題に鑑みてなされたもので、その目的は、圧電素子の収納が容易な台座を有するズームレンズユニットを提供することにある。
【課題を解決するための手段】
【００１９】
前述した目的を達成するために、第１の発明は、少なくとも一つのレンズと、前記レンズを保持するレンズ枠とを備え、かつ、互いに前記レンズの光軸が一致するように設けられ、前記光軸方向に移動可能な複数のレンズ群と、
複数の前記レンズ群の前記レンズ枠を貫通し、かつ前記光軸に平行に設けられ、複数の前記レンズ群の移動方向を前記光軸方向に限定する複数のガイド軸と、前記ガイド軸を支持する台座と、を有し、前記ガイド軸は、軸体と、前記軸体の端部に設けられ、複数の前記レンズ群のうち、対応する前記レンズ群を駆動する円盤状の圧電素子を有し、前記台座は、本体と、前記本体の表面に着脱可能に設けられ、前記軸体を保持する蓋体と、前記本体の表面に設けられ、前記圧電素子の形状に対応した形状を有する圧電素子収納用凹部と、を有し、前記圧電素子は、前記圧電素子収納用凹部に設けられ、前記軸体は前記蓋体を貫通して設けられていることを特徴とするズームレンズユニットである。
【００２０】
前記本体は、前記蓋体の形状に対応した形状を有する蓋体収納用凹部を有し、前記蓋体は前記蓋体収納用凹部に設けられていてもよい。
【００２１】
前記圧電素子収納用凹部は、前記蓋体収納用凹部の底面に設けられていてもよい。
【００２２】
前記ズームレンズユニットは、前記圧電素子と前記蓋体の間に設けられた第１の緩衝材をさらに有し、前記第１の緩衝材は前記圧電素子収納用凹部に設けられていてもよい。
【００２３】
前記第１の緩衝材はリング状の形状を有する。
【００２４】
前記ズームレンズユニットは、前記圧電素子と前記圧電素子収納用凹部の間に設けられた第２の緩衝材をさらに有し、前記第２の緩衝材は前記圧電素子収納用凹部に設けられていてもよい。
【００２５】
前記第２の緩衝材はリング状の形状を有する。
【００２６】
前記本体は、前記圧電素子収納用凹部の底面に設けられた逃げ用凹部をさらに有してもよい。
【００２７】
第２の発明は、少なくとも一つのレンズと、前記レンズを保持するレンズ枠とを備え、かつ、互いに前記レンズの光軸が一致するように設けられ、前記光軸方向に移動可能な複数のレンズ群と、複数の前記レンズ群の前記レンズ枠を貫通し、かつ前記光軸に平行に設けられ、複数の前記レンズ群の移動方向を前記光軸方向に限定する複数のガイド軸と、を有し、前記ガイド軸は、軸体と、前記軸体の端部に設けられ、複数の前記レンズ群のうち、対応する前記レンズ群を駆動する円盤状の圧電素子と、を有するズームレンズユニットの前記ガイド軸を支持する台座であって、本体と、前記本体の表面に着脱可能に設けられ、前記軸体を保持する蓋体と、前記本体の表面に設けられ、前記圧電素子の形状に対応した形状を有する圧電素子収納用凹部と、を有し、前記圧電素子は、前記圧電素子収納用凹部に設けられ、前記軸体は前記蓋体を貫通して設けられていることを特徴とする台座である。
【００２８】
前記本体は、前記蓋体の形状に対応した形状を有する蓋体収納用凹部を有し、前記蓋体は前記蓋体収納用凹部に設けられていてもよい。
【００２９】
前記圧電素子収納用凹部は、前記蓋体収納用凹部の底面に設けられていてもよい。
【００３０】
前記台座は、前記圧電素子と前記蓋体の間に設けられた第１の緩衝材をさらに有し、前記第１の緩衝材は前記圧電素子収納用凹部に設けられていてもよい。
【００３１】
前記第１の緩衝材はリング状の形状を有する。
【００３２】
前記台座は、前記圧電素子と前記圧電素子収納用凹部の間に設けられた第２の緩衝材をさらに有し、前記第２の緩衝材は前記圧電素子収納用凹部に設けられていてもよい。
【００３３】
前記第２の緩衝材はリング状の形状を有する。
【００３４】
前記本体は、前記圧電素子収納用凹部の底面に設けられた逃げ用凹部をさらに有する。
【００３５】
第３の発明は、第１の発明のズームレンズユニットを有することを特徴とする撮像装置である。
【００３６】
第４の発明は、第１の発明のズームレンズユニットを有することを特徴とするカメラである。
【００３７】
第５の発明は、第１の発明のズームレンズユニットを有することを特徴とする携帯端末装置である。
【００３８】
第６の発明は、第１の発明のズームレンズユニットを有することを特徴とする携帯電話である。
【００３９】
第１の発明〜第６の発明では、ズームレンズユニットの台座が本体と蓋体を有しており、ガイド軸の軸体は蓋体に保持され、ガイド軸の圧電素子は台座に設けられた圧電素子収納用凹部に設けられている。
【００４０】
そのため、台座は圧電素子の収納が容易である。
【００４１】
また、第１の発明〜第６の発明では、ズームレンズユニットの台座が緩衝材を有しているので、圧電素子の振動の際に、圧電素子に加えられる負荷を低減することができる。
【発明の効果】
【００４２】
本発明によれば、圧電素子の収納が容易なズームレンズユニットを提供することができる。
【発明を実施するための最良の形態】
【００４３】
以下、図面に基づいて本発明に好適な実施形態を詳細に説明する。
【００４４】
まず、図１〜図４を参照して、本実施形態に係るズームレンズユニット１の概略構成を説明する。
【００４５】
ここでは、ズームレンズユニット１として、携帯電話等（のカメラ）に用いられるズームレンズユニットが図示されている。
【００４６】
図１〜図４に示すように、ズームレンズユニット１は、鏡筒３（第１レンズ群）、第２レンズ群７、第３レンズ群９、第１ガイド軸１１、第２ガイド軸１３、および台座４（第４レンズ群）を有している。
【００４７】
図１〜図４に示すように、ズームレンズユニット１は、第１レンズ２３を保持するとともに、第２レンズ群７、第３レンズ群９、および、第１ガイド軸１１と第２ガイド軸１３の一部を収納する鏡筒３（第１レンズ群）を有している。
【００４８】
第１レンズ２３に隣接するようにして、変倍用の第２レンズ３１および第３レンズ３２（図４参照）を保持する第２レンズ群７が設けられている。
【００４９】
鏡筒３（第１レンズ群）と第２レンズ群７とは、互いに第１レンズ２３と第２レンズ３１および第３レンズ３２の光軸２が一致するように設けられている。
【００５０】
第２レンズ群７は光軸２と平行な向き（図２のＢ１、Ｂ２の向き）に移動可能であり、移動により、ズームレンズユニット１の倍率が変更される。
【００５１】
また、ズームレンズユニット１は、フォーカス補正用の第４レンズ４１を保持する第３レンズ群９を有している。
【００５２】
第３レンズ群９は、第２レンズ群７に隣接し、かつ第２レンズ群７を挟んで鏡筒３（第１レンズ群）の上面２１ａと反対側の位置に設けられている。
【００５３】
また第３レンズ群９は、第４レンズ４１の光軸が、第１レンズ２３、第２レンズ３１および第３レンズ３２の光軸２と一致するように設けられている。
【００５４】
第３レンズ群９は光軸２と平行な向き（図２のＢ１、Ｂ２の向き）に移動可能であり、移動により、ズームレンズユニット１のフォーカスが補正される。
【００５５】
さらに、第２レンズ群７と第３レンズ群９の移動を光軸２と平行な向きに制限し、かつ第２レンズ群７を駆動する第１ガイド軸１１が、第２レンズ群７、第３レンズ群９を貫通して設けられている。
【００５６】
なお、詳細は後述するが、第１ガイド軸１１は超音波アクチュエータである。
【００５７】
また、第２レンズ群７と第３レンズ群９の移動を光軸２と平行な向きに制限し、かつ第３レンズ群９を駆動する第２ガイド軸１３が、第２レンズ群７、第３レンズ群９を貫通して設けられている。
【００５８】
なお、詳細は後述するが、第２ガイド軸１３は超音波アクチュエータである。
【００５９】
第１ガイド軸１１および第２ガイド軸１３の端部には第５レンズ７１を有する板状の台座４（第４レンズ群）が設けられている。
【００６０】
台座４（第４レンズ群）は第５レンズ７１の光軸が、第１レンズ２３、第２レンズ３１、第３レンズ３２および第４レンズ４１の光軸２と一致するように設けられている。
【００６１】
なお台座４（第４レンズ群）は、第３レンズ群９に隣接し、かつ第３レンズ群９を挟んで第２レンズ群７とは反対側の位置に設けられている。
【００６２】
台座４（第４レンズ群）は鏡筒３（第１レンズ群）と連結され、台座４と鏡筒３によって内部に形成された空間に第２レンズ群７、第３レンズ群９、および、第１ガイド軸１１と第２ガイド軸１３の一部が収納されている。
【００６３】
次に、ズームレンズユニット１を構成する部材のうち、鏡筒３（第１レンズ群）、第２レンズ群７、第３レンズ群９、第１ガイド軸１１、第２ガイド軸１３および台座４（第４レンズ群）の構造について図２〜図４を参照して詳細に説明する。
【００６４】
まず、鏡筒３（第１レンズ群）の構造について図２を参照して説明する。
【００６５】
図２に示すように、鏡筒３（第１レンズ群）は、底面が開放された筒状の第１レンズ枠２１を有している。
【００６６】
第１レンズ枠２１の上面２１ａの中心部には、負の焦点距離を持つレンズ（凹レンズ）である第１レンズ２３が設けられている。
【００６７】
第１レンズ枠２１の上面２１ａの第１レンズ２３の周囲には、第１ガイド軸１１が挿入される貫通孔２５および第２ガイド軸１３が挿入される貫通孔２７が設けられている。
【００６８】
なお、貫通孔２５、２７は第１レンズ２３の中心に対して互いに点対称な位置に設けられるのが望ましい。
【００６９】
また、第１レンズ枠２１の開放面の周囲には台座４と連結されるフランジ３ａが設けられ、フランジ３ａには、後述するネジ８ａ、８ｂ、８ｃ、８ｄが挿入される貫通孔６ａ、６ｂ、６ｃ、６ｄ（図示せず）が設けられている。
【００７０】
次に、第２レンズ群７の構造について図３および図４を参照して説明する。
【００７１】
図３および図４に示すように、第２レンズ群７は、板状の第２レンズ枠２９を有している。
【００７２】
第２レンズ枠２９の中心部には、正の焦点距離を持つレンズ（凸レンズ）である変倍用の第２レンズ３１および第３レンズ３２（図４参照）が設けられている。
【００７３】
第２レンズ枠２９の外周近傍には、第１ガイド軸１１が貫通する部分に、第１ガイド軸１１に摩擦保持される移動子３５が設けられている。
【００７４】
移動子３５には第１ガイド軸１１が挿入される貫通孔３７が設けられている。貫通孔３７は、貫通孔２５と中心軸が一致するように設けられている。
【００７５】
なお、貫通孔３７の径は、後述する第１ガイド軸１１の軸４９の径と略等しいため、移動子３５は第１ガイド軸１１に摩擦保持される。
【００７６】
第２レンズ枠２９の外周近傍にはさらに、第２ガイド軸１３が貫通する部分に貫通孔３３が設けられている。貫通孔３３は、貫通孔２７と中心軸が一致するように設けられている。
【００７７】
なお、貫通孔３３の径は、後述する第２ガイド軸１３の軸５５の径よりも大きいため、第２ガイド軸１３と第２レンズ群７（第２レンズ枠２９）は互いに移動を拘束されない。
【００７８】
次に、第３レンズ群９の構造について図３および図４を参照して説明する。
【００７９】
第３レンズ群９は、板状の第３レンズ枠３９を有している。
【００８０】
図３および図４に示すように、第３レンズ枠３９の中心部には、負の焦点距離を持つレンズ（凹レンズ）であるフォーカス補正用の第４レンズ４１が設けられている。
【００８１】
第３レンズ枠３９の外周近傍には、第１ガイド軸１１が貫通する部分に、貫通孔４３が設けられている。貫通孔４３は、貫通孔２５、貫通孔３７と中心軸が一致するように設けられている。
【００８２】
なお、貫通孔４３の径は、後述する第１ガイド軸１１の軸４９の径よりも大きいため、第１ガイド軸１１と第３レンズ群９（第３レンズ枠３９）は互いに移動を拘束されない。
【００８３】
第３レンズ枠３９の外周近傍にはさらに、第２ガイド軸１３が貫通する部分に、第２ガイド軸１３に摩擦保持される移動子４５が設けられている。
【００８４】
移動子４５には第２ガイド軸１３が挿入される貫通孔４７が設けられている。貫通孔４７は、貫通孔２７、貫通孔３３と中心軸が一致するように設けられている。
【００８５】
なお、貫通孔４７の径は、後述する第２ガイド軸１３の軸５５の径と略等しいため、移動子４５は第２ガイド軸１３に摩擦保持される。
【００８６】
次に、第１ガイド軸１１および第２ガイド軸１３の構造について図３を参照して説明する。
【００８７】
図３に示すように、第１ガイド軸１１および第２ガイド軸１３はそれぞれ棒状の軸４９、５５を有している。
【００８８】
軸４９、５５の一端には、電圧を負荷すると反る円盤状の圧電素子５１、５７がそれぞれ設けられており、圧電素子５１、５７には図示しない電源回路が接続されている。
【００８９】
なお、詳細は後述するが、圧電素子５１、５７は図示しない電源回路から電圧の供給を受けて反ることにより振動し、第２レンズ群７、第３レンズ群９を移動させる。
【００９０】
軸４９は貫通孔４３を貫通し、さらに貫通孔３７を貫通して第２レンズ群７を摩擦保持している。なお、軸４９は貫通孔３７に圧入される。
【００９１】
さらに軸４９の端部のうち、圧電素子５１が設けられた端部とは別の端部が貫通孔２５に挿入されている。
【００９２】
また、軸５５は貫通孔４７を貫通して第３レンズ群９を摩擦保持しており、また貫通孔３３を貫通している。なお、軸５５は貫通孔４７に圧入される。
【００９３】
さらに軸５５の端部のうち、圧電素子５７が設けられた端部とは別の端部が貫通孔２７に挿入されている。
【００９４】
また、圧電素子５１、５７は後述する台座４（第４レンズ群）の圧電素子収納用凹部７０ａ、７０ｂに収納され、軸４９、５５は貫通孔６７ａ、６７ｂに挿入され、支持されている。
【００９５】
次に、台座４（第４レンズ群）の構造について図３および図４を参照して説明する。
【００９６】
図３および図４に示すように台座４は、本体６１、蓋体６３、第１の緩衝材としての緩衝材７３ａ、７３ｂ、第２の緩衝材としての緩衝材７５ａ、７５ｂを有している。
【００９７】
本体６１は板状の形状を有しており、中心部に正の焦点距離を持つレンズ（凸レンズ）である第５レンズ７１が設けられている。
【００９８】
本体６１の表面の外周には、台座４と鏡筒３を連結するための貫通孔７７ａ、７７ｂ、７７ｃ、７７ｄが設けられている。
【００９９】
貫通孔７７ａ、７７ｂ、７７ｃ、７７ｄは鏡筒３の貫通孔６ａ、６ｂ、６ｃ、６ｄとそれぞれ中心軸が一致するように設けられている。
【０１００】
そのため、ネジ８ａ、８ｂ、８ｃ、８ｄをそれぞれ貫通孔７７ａ、７７ｂ、７７ｃ、７７ｄおよび貫通孔６ａ、６ｂ、６ｃ、６ｄに挿入して鏡筒３のフランジ３ａと本体６１を締結することにより、鏡筒３が台座４（本体６１）に固定される。
【０１０１】
また、本体６１の表面には、第５レンズ７１の周囲を囲むようにして、蓋体６３を収納するための環状の蓋体収納用凹部６８が設けられている。
【０１０２】
蓋体収納用凹部６８の底面には、圧電素子５１、５７および緩衝材７３ａ、７３ｂ、７５ａ、７５ｂを収納するための円盤状の圧電素子収納用凹部７０ａ、７０ｂが設けられている（詳細は後述）。
【０１０３】
圧電素子収納用凹部７０ａ、７０ｂは、圧電素子５１、５７と対応した形状を有し、中心軸がそれぞれ、軸４９、５５と一致するように設けられている。
【０１０４】
さらに、圧電素子収納用凹部７０ａ、７０ｂの底面には、振動時に圧電素子５１、５７が、圧電素子収納用凹部７０ａ、７０ｂの底面に接触するのを防ぐための逃げ用凹部７２ａ、７２ｂが設けられている（詳細は後述）。
【０１０５】
また、蓋体収納用凹部６８の底面には、蓋体６３を固定するためのピン７９ａ、７９ｂが設けられている。
【０１０６】
ピン７９ａとピン７９ｂとは、は第５レンズ７１の中心に対して互いに点対称な位置に設けられるのが望ましい。
【０１０７】
蓋体６３は蓋体収納用凹部６８の形状に対応した形状を有しており、蓋体収納用凹部６８内に着脱可能に設けられている。
【０１０８】
蓋体６３は中心部に、第５レンズ７１の形状に対応した形状を有する貫通孔６５を有している。
【０１０９】
蓋体６３の外周近傍には、ピン７９ａ、７９ｂの形状に対応した貫通孔６９ａ、６９ｂが設けられている。
【０１１０】
貫通孔６９ａ、６９ｂはピン７９ａ、７９ｂと中心軸が一致するように設けられており、ピン７９ａ、７９ｂが貫通孔６９ａ、６９ｂに挿入されるようにして、蓋体６３を蓋体収納用凹部６８内に挿入することにより、蓋体６３が蓋体収納用凹部６８内に固定される。
【０１１１】
蓋体６３の外周近傍には、さらに、軸４９、５５の形状に対応した貫通孔６７ａ、６７ｂが軸４９、５５を保持するために設けられている。
【０１１２】
貫通孔６７ａ、６７ｂは軸４９、５５と中心軸が一致するように設けられている。
【０１１３】
即ち、台座４は、蓋体６３を蓋体収納用凹部６８に収納すると、台座４の内部に圧電素子収納用凹部７０ａ、７０ｂが空間として存在し、かつ、貫通孔６７ａ、６７ｂが圧電素子収納用凹部７０ａ、７０ｂから外部に貫通するように設けられる構造となる。
【０１１４】
第１ガイド軸１１、第２ガイド軸１３は、圧電素子５１、５７を圧電素子収納用凹部７０ａ、７０ｂ内に収納し、さらに蓋体６３を蓋体収納用凹部６８に挿入して、軸４９、５５を蓋体６３の貫通孔６７ａ、６７ｂに挿入して保持することにより、台座４内に収納される。
【０１１５】
一方、緩衝材７３ａ、７５ａは圧電素子収納用凹部７０ａ内に設けられており、緩衝材７３ｂ、７５ｂは圧電素子収納用凹部７０ｂ内に設けられている。
【０１１６】
具体的には、緩衝材７３ａ、７３ｂは圧電素子５１、５７と蓋体６３の間に設けられ、緩衝材７５ａ、７５ｂは圧電素子５１、５７と圧電素子収納用凹部７０ａ、７０ｂの間に設けられている。
【０１１７】
即ち、緩衝材７３ａ、７５ａは圧電素子５１を上下から挟み込むようにして設けられ、緩衝材７３ｂ、７５ｂは圧電素子５７を上下から挟み込むようにして設けられている。
【０１１８】
緩衝材７３ａ、７５ａ、７３ｂ、７５ｂはリング状の形状を有しており、圧電素子５１、５７の外周のみと接触するようになっている。
【０１１９】
ここで、台座４は、本体６１と蓋体６３により内部に圧電素子収納用凹部７０ａ、７０ｂが空間として存在し、かつ、貫通孔６７ａ、６７ｂが圧電素子収納用凹部７０ａ、７０ｂから外部に貫通するように設けられている。
【０１２０】
そのため、圧電素子５１、５７を圧電素子収納用凹部７０ａ、７０ｂ内に収納し、蓋体６３を蓋体収納用凹部６８に収納して、軸４９、５５を蓋体６３の貫通孔６７ａ、６７ｂに挿入して保持することにより、第１ガイド軸１１、第２ガイド軸１３を台座４内に容易に収納することができる。
【０１２１】
また、台座４には緩衝材が設けられ、圧電素子を緩衝材が挟み込む構造となっている。
【０１２２】
そのため、圧電素子５１、５７の振動の際に、軸４９、５５を介して圧電素子５１、５７に加えられる負荷を軽減することができる。
【０１２３】
さらに台座４は、圧電素子収納用凹部７０ａ、７０ｂの底面に、逃げ用凹部７２ａ、７２ｂが設けられているため、圧電素子５１、５７が反ることにより振動する際に、圧電素子収納用凹部７０ａ、７０ｂの底面と接触するのを防止できる。
【０１２４】
また、緩衝材７３ａ、７５ａおよび緩衝材７３ｂ、７５ｂはリング状の形状を有しており、圧電素子５１、５７の外周のみと接触するようになっている。
【０１２５】
そのため、後述するように、圧電素子５１、５７が反ることにより振動する際に、緩衝材７３ｂ、７５ｂが圧電素子５１、５７の振動の妨げとなるのを防ぐことができる。
【０１２６】
ここで、台座４に圧電素子５１、５７を収納する手順について図３を参照して説明する。
【０１２７】
まず、図３に示すように、台座４が個々の構成部材に分解された状態であるとする。
【０１２８】
この状態で、最初に、緩衝材７３ａ、７５ａおよび圧電素子５１を、図３のＢ２の向きに移動させ、緩衝材７５ａ→圧電素子５１→緩衝材７３ａの順に本体６１の圧電素子収納用凹部７０ａ内に収納する。
【０１２９】
なお、緩衝材７３ａは、軸４９がリング（緩衝材７３ａ）の中心を貫通するように設ける。
【０１３０】
このような順に設けると、圧電素子５１が、緩衝材７３ａと緩衝材７５ａに上下から挟み込まれるようにして圧電素子収納用凹部７０ａ内に設けられる。
【０１３１】
同様に、緩衝材７３ｂ、７５ｂおよび圧電素子５１を、図３のＢ２の向きに移動させ、本体６１の圧電素子収納用凹部７０ｂ内に緩衝材７５ｂ→圧電素子５７→緩衝材７３ｂの順に収納する。
【０１３２】
なお、緩衝材７３ｂは、軸５５がリング（緩衝材７３ｂ）の中心を貫通するように設ける。
【０１３３】
このような順に設けると、圧電素子５１が、緩衝材７３ｂと緩衝材７５ｂに上下から挟み込まれるようにして圧電素子収納用凹部７０ｂ内に設けられる。
【０１３４】
次に、蓋体６３を図３のＢ２の向きに移動させ、蓋体収納用凹部６８内に収納する。
【０１３５】
この際、ピン７９ａ、７９ｂを貫通孔６９ａ、６９ｂに挿入し、さらに軸４９、５５が蓋体６３の貫通孔６７ａ、６７ｂに挿入されるようにする。
【０１３６】
このようにして、台座４に圧電素子５１、５７が収納され、軸４９、５５が台座４（貫通孔６７ａ、６７ｂ）に保持される。
【０１３７】
ここで、台座４の各構成部材は、全て図２のＢ２の向きに移動することにより、組み立てられ、台座４に圧電素子５１、５７が収納可能な構造となっている。
【０１３８】
そのため、台座４に圧電素子５１、５７を容易に収納できる。
【０１３９】
次に、図４を参照して、第２レンズ群７および第３レンズ群９の移動の原理および制御方法について簡単に説明する。
【０１４０】
ここでは第３レンズ群９を図４のＢ１の向きに移動させる場合を例にして説明するが、第２レンズ群７を移動させる場合も同様であり、説明を省略する。
【０１４１】
第３レンズ群９（第３レンズ枠３９）を図４のＢ１の向きに移動させたい場合は、まず、圧電素子５７が図４のＢ１の向きに反るように圧電素子５７に電圧を負荷する。
【０１４２】
ここで、圧電素子５７がＢ１の向きに反る速度は、移動子４５が軸５５に対して滑らない速度とする。
【０１４３】
圧電素子５７のＢ１の向きに反ると、軸５５は圧電素子５７と一体になってＢ１の向きに所定の長さだけ移動し、移動子４５も軸５５と一体となって所定の長さだけ移動する。
【０１４４】
次に、圧電素子５７がＢ１の向きに反った状態で圧電素子５７に負荷する電圧の正負を逆転し、移動子４５が軸５５に対して滑る速度で圧電素子５７をＢ２の向きに反らせる。
【０１４５】
なお、圧電素子５７は圧電素子収納用凹部７０ｂに設けられているが、圧電素子収納用凹部７０ｂの底面には逃げ用凹部７２ｂが設けられており、逃げ用凹部７２ｂがいわゆる「逃げ」となっている。
【０１４６】
そのため、圧電素子５７をＢ２の向きに反らせても、圧電素子５７が圧電素子収納用凹部７０ｂの底面に接触する恐れはない。
【０１４７】
圧電素子５７がＢ２の向きに反ると、軸５５は圧電素子５７と一体となって、Ｂ２の向きに移動するが、移動子４５は軸５５に対して滑る。
【０１４８】
滑った移動子４５は慣性により移動せず、圧電素子５７がＢ１の向きに反った状態での位置と同じ位置にとどまる。
【０１４９】
以後は「移動子４５が滑らない速度で圧電素子５７をＢ１の向きに反らせる」→「移動子４５が滑る速度で圧電素子５７をＢ２の向きに反らせる」という工程を繰り返せば、移動子４５は逐次Ｂ１の向きに移動し、第３レンズ枠３９（第３レンズ群９）は移動子４５と一体となってＢ１の向きに移動する。
【０１５０】
即ち、移動子４５を一定周期で振動させると、移動子４５はＢ１の向きに移動し、第３レンズ枠３９（第３レンズ群９）は移動子４５と一体となってＢ１の向きに移動する。
【０１５１】
なお、第３レンズ群９をＢ２の向きに移動させたい場合は、「移動子４５が滑らない速度で圧電素子５７をＢ２の向きに反らせる」→「移動子４５が滑る速度で圧電素子５７をＢ１の向きに反らせる」という工程を繰り返して圧電素子５７を振動させる。
【０１５２】
ここで、圧電素子５７を振動させると、圧電素子５７には振動に伴い、軸５５から負荷が加えられるが、圧電素子５７を挟み込むように設けられた緩衝材７３ｂ、７５ｂが負荷を緩和する。なお、緩衝材７３ａ、７５ａも同様である。
【０１５３】
また、緩衝材７３ｂ、７５ｂはリング状の形状を有しており、圧電素子５７の外周のみと接触している。
【０１５４】
そのため、圧電素子５７が反ることにより振動する際に、緩衝材７３ｂ、７５ｂが振動の妨げとなることはない。なお、緩衝材７３ａ、７５ａも同様である。
【０１５５】
このように、本実施形態によれば、ズームレンズユニット１の台座４は本体６１、蓋体６３を有し、圧電素子５１、５７は本体６１の圧電素子収納用凹部７０ａ、７０ｂに収納され、蓋体６３に保持されている。
【０１５６】
そのため、台座４は、圧電素子５１、５７を容易に収納することができる。
【０１５７】
また、本実施形態によれば、台座４は緩衝材７３ａ、７３ｂ、７５ａ、７５ｂを有し、緩衝材７３ａ、７５ａおよび緩衝材７３ｂ、７５ｂは、圧電素子５１、５７を上下から挟み込むように設けられている。
【０１５８】
そのため、圧電素子５１、５７を振動させた際に加えられる負荷を緩和することができる。
【０１５９】
また、本実施形態によれば、緩衝材７３ａ、７５ａおよび緩衝材７３ｂ、７５ｂはリング状の形状を有しており、圧電素子５１および圧電素子５７の外周のみと接触している。
【０１６０】
そのため、圧電素子５１および圧電素子５７が反る際に、緩衝材７３ａ、７５ａおよび圧電素子７３ｂ、７５ｂが振動の妨げとなることはない。
【０１６１】
さらに、本実施形態によれば、圧電素子収納用凹部７０ａ、７０ｂの底面には逃げ用凹部７２ａ、７２ｂが設けられている。
【０１６２】
そのため、圧電素子５１、５７の振動の際に、圧電素子５１、５７が圧電素子収納用凹部７０ａ、７０ｂの底面に接触する恐れはない。
【産業上の利用可能性】
【０１６３】
上記した実施形態では、本発明を携帯電話等のカメラに適用した場合について説明したが、本発明は、何等、これに限定されることなく、例えば、ズームレンズユニット１を必要とする撮像装置、カメラ、携帯端末装置等に用いることができる。
【図面の簡単な説明】
【０１６４】
【図１】ズームレンズユニット１を示す斜視図である。
【図２】図１の分解斜視図である。
【図３】図１の分解斜視図である。
【図４】図１のＡ−Ａ断面図であって、右半分は記載を省略している。
【符号の説明】
【０１６５】
１…………ズームレンズユニット
２…………光軸
３…………鏡筒（第１レンズ群）
４…………台座（第４レンズ群）
７…………第２レンズ群
９…………第３レンズ群
１１………第１ガイド軸
１３………第２ガイド軸
２１………第１レンズ枠
２３………第１レンズ
２５………貫通孔
２７………貫通孔
２９………第２レンズ枠
３１………第２レンズ
３２………第３レンズ
３３………貫通孔
３５………移動子
３７………貫通孔
３９………第３レンズ枠
４１………第４レンズ
４３………貫通孔
４５………移動子
４７………貫通孔
４９………軸
５１………圧電素子
５５………軸
５７………圧電素子
６１………本体
６３………蓋体
６８………蓋体収納用凹部
７０ａ……圧電素子収納用凹部
７１………第５レンズ
７２ａ……逃げ用凹部
７３ａ……緩衝材
【図１】
2009128584.tif 000003
【図２】
2009128584.tif 000004
【図３】
2009128584.tif 000005
【図４】
2009128584.tif 000006